(57)【要約】【課題】シールドトンネル内に敷設される枕木のローリングを防止する枕木ローリング防止金具を提供する。【解決手段】多数のセグメントが締結部材７により結合されてなるシールドトンネル１の内部において敷設される枕木２のローリングを防止する枕木ローリング防止金具３であって、前記枕木２に固定される固定部４ａと前記締結部材７により前記シールドトンネル１に結合される結合部４ｂとを有してなる枕木固定用部材４を備える構成とする。【選択図】        図１
2004257016.tif 000002
【特許請求の範囲】
【請求項１】
多数のセグメントが締結部材により結合されてなるシールドトンネルの内部において敷設される枕木のローリングを防止する枕木ローリング防止金具であって、
前記枕木に固定される固定部と前記締結部材により前記シールドトンネルに結合される結合部とを有してなる枕木固定用部材を備えることを特徴とする枕木ローリング防止金具。
【請求項２】
前記枕木の長手方向に対して直交する方向に、前記固定部と前記結合部とが配される請求項１に記載の枕木ローリング防止金具。
【請求項３】
前記結合部の前記枕木に対する相対位置を変更可能に固定する第１の固定手段と、前記結合部の水平方向位置を変更可能に固定する第２の固定手段とが設けられる請求項１または２に記載の枕木ローリング防止金具。
【発明の詳細な説明】
【０００１】
【発明の属する技術分野】
本発明は、シールドトンネル内に敷設される枕木のローリングを防止する枕木ローリング防止金具に関するものである。
【０００２】
【従来の技術】
近年のトンネル建設では、複雑な土層の掘削や工事条件の制約が多くなっていることから、機械掘りシールド（シールドマシン）によるシールド工法が採用されることが多い。この工法においては、シールドマシンの１ストローク分の掘進後に、１リング分のセグメントをエレクタにより円環に組み立てて、既に完成している先行円環にボルト締結によって結合するといった動作を繰り返すことにより、シールドトンネルを構築するようにされている。このようにして構築されたシールドトンネルの内部には、機材等を運搬する搬送台車（軌条型電気機関車方式）のレールを支持する所要の枕木（鋼製枕木）が敷設されている。
【０００３】
【発明が解決しようとする課題】
しかしながら、前記シールドトンネル内に敷設されている枕木はそのシールドトンネルの内周面上にただ置かれているだけであるために、特にそのシールドトンネルが、二次覆工の省略を目的に内側に配される側の面の面肌が滑らかに仕上げられたセグメント（いわゆる二重巻きセグメント）で構築されたものである場合には、前記搬送台車を走行させた際にそれら枕木がローリング（横ゆれ）するという問題点がある。
【０００４】
本発明は、このような問題点を解消するためになされたもので、シールドトンネル内に敷設される枕木のローリングを防止することのできる枕木ローリング防止金具を提供することを目的とするものである。
【０００５】
【課題を解決するための手段および作用・効果】
前記目的を達成するために、本発明による枕木ローリング防止金具は、
多数のセグメントが締結部材により結合されてなるシールドトンネルの内部において敷設される枕木のローリングを防止する枕木ローリング防止金具であって、
前記枕木に固定される固定部と前記締結部材により前記シールドトンネルに結合される結合部とを有してなる枕木固定用部材を備えることを特徴とするものである（第１発明）。
【０００６】
本発明によれば、シールドトンネルに対して枕木が枕木固定用部材によって固定されることで、枕木に作用するモーメントに対抗するための反力が確保されるので、枕木のローリングを防止することができる。
【０００７】
第１発明において、前記枕木の長手方向に対して直交する方向に、前記固定部と前記結合部とが配されるのが好ましい（第２発明）。このようにすれば、枕木に対し前記反力を効果的に作用させることができる。
【０００８】
第１発明または第２発明において、前記結合部の前記枕木に対する相対位置を変更可能に固定する第１の固定手段と、前記結合部の水平方向位置を変更可能に固定する第２の固定手段とが設けられるのが好ましい（第３発明）。このようにすれば、配置の自由度向上や組付容易化を図ることができるとともに、口径や前記締結部材の配置が多少異なる種々のシールドトンネルに対しての互換性を具備させることができる。
【０００９】
【発明の実施の形態】
次に、本発明による枕木ローリング防止金具の具体的な実施の形態につき、図面を参照しつつ説明する。
【００１０】
図１には、本発明の一実施形態に係る枕木ローリング防止金具の使用態様を表わす図が示されている。また、図２には、本実施形態における枕木ローリング防止金具の構造説明図で、正面図（ａ）、側面図（ｂ）および平面図（ｃ）がそれぞれ示されている。
【００１１】
図１に示されるシールドトンネル１は、図示省略される機械掘りシールド（シールドマシン）の１ストローク分の掘進後に、１リング分のセグメントをエレクタにより円環に組み立てて、既に完成している先行円環にボルト締結により結合するといった動作を繰り返すことによって構築されている。このシールドトンネル１の内部には、機材等を運搬する軌条型電気機関車方式の搬送台車（図示省略）のレール１７，１７を支持する所要の枕木（鋼製枕木）２，２，・・・が、そのシールドトンネル１の軸線方向に対して直交するように、前記円環の結合ピッチと同ピッチで、かつ隣接する円環の結合部近傍に敷設されている。各枕木２は、所要長さ寸法に設定されたＨ形鋼の両側部に、シールドトンネル１の内周面に沿うように面取りが施されて作製されたものであって、各枕木２には、前記搬送台車の走行時に当該枕木２がローリングするのを防止する枕木ローリング防止金具３が取り付けられている。
【００１２】
前記枕木ローリング防止金具３は、枕木固定用部材４、およびその枕木固定用部材４と枕木２との間に介設されるブラケット５を備えている。
【００１３】
前記枕木固定用部材４は、矩形状の平板鋼に所要の機械加工が施されて作製されたものであって、枕木２の下方において前後方向に隣接するセグメントを締結しているセグメント締結用ボルト６，７，８のうち、その枕木２に対する相対距離が最長であるセグメント締結用ボルト７上に直立姿勢にて配置されている。
【００１４】
前記枕木固定用部材４の上端部（本発明の「固定部」に相当）４ａは、ボルト・ナット（９，１０；９，１０）で前記ブラケット５に締着されており、そのブラケット５を介して当該枕木固定用部材４が枕木２に固定されるようになっている。この枕木固定用部材４の上端部４ａには、前記ボルト９，９の軸部が挿通される孔として長孔１１，１１が形成されており、ボルト・ナット（９，１０；９，１０）の締め付け解除時に、枕木固定用部材４の下端部４ｂと枕木２との相対位置を変更できるようにされている。なお、ボルト・ナット（９，１０；９，１０）および長孔１１，１１を含む構成が本発明における「第１の固定手段」に相当する。
【００１５】
前記枕木固定用部材４の下端部（本発明の「結合部」に相当）４ｂには、セグメント締結用ボルト７の軸部７ａが嵌り込む切欠き１２が形成されており、この切欠き１２の周縁がセグメント締結用ボルト７頭部の座面とされている。こうして、セグメント締結用ボルト７の締め付けにより、枕木固定用部材４の下端部４ｂがセグメントと共に締結されてシールドトンネル１に結合されるようになっている。なお、この枕木固定用部材４の下端部４ｂの両角部には所要の面取りが施されており（図２（ａ）中記号Ｃで示される部位）、セグメント締結用ボルト７の周囲に形成されているセグメントの凹面１３との干渉を防止するようにされている。
【００１６】
前記ブラケット５は、不等辺山形鋼に所要の機械加工が施されて作製されたものであって、その両側部に配されるしゃこ万力１４，１４によって枕木２に締着・固定されている。本実施形態においては、しゃこ万力１４，１４による締め付けを解除してブラケット５を水平方向に移動させることにより、枕木固定用部材４の下端部４ｂの水平方向位置を変更できるようにされている。なお、ブラケット５およびしゃこ万力１４，１４を含む構成が本発明における「第２の固定手段」に相当する。
【００１７】
前記ブラケット５には、枕木固定用部材４の上端部４ａの両側辺に接するように、一対の支持片（角鋼）１５，１５が固着されている。こうして、枕木固定用部材４にモーメントが作用したときに、ブラケット５に対する枕木固定用部材４の取付位置がずれるのを防止するようにされている。さらに、それら支持片１５，１５が固着されている面の反対側の面には、ボルト９頭部の周壁に面接触するように、ストッパ片（角鋼）１６が固着されている。こうして、前記ナット１０，１０の締め付けに伴いボルト９，９が共回りするのを防止するようにされている。
【００１８】
以上に述べたように構成される本実施形態の枕木ローリング防止金具３によれば、前記搬送台車がレール１７，１７上を走行することで枕木２に作用するモーメントに対抗し得る反力が、前記枕木固定用部材４によって確保されるので、枕木２のローリングを防止することができる。
【００１９】
また、本実施形態においては、枕木固定用部材４が枕木２の長手方向に対して直交するように配されるので、枕木２に対して前記反力をより効果的に作用させることができる。また、枕木固定用部材４の上下左右位置を変更できるようにされているので、配置の自由度向上や組付容易化を図ることができるとともに、本実施形態に係るシールドトンネル１に対し口径やセグメント締結用ボルトの配置が多少異なるシールドトンネル１Ａに対しても適用させ得る互換性を持たせることができる（図３参照）。
【図面の簡単な説明】
【図１】図１は、本発明の一実施形態に係る枕木ローリング防止金具の使用態様を表わす図である。
【図２】図２は、本実施形態における枕木ローリング防止金具の構造説明図で、正面図（ａ）、側面図（ｂ）および平面図（ｃ）である。
【図３】図３は、本実施形態に係るシールドトンネルに対して口径等が多少異なるシールドトンネルでの枕木ローリング防止金具の使用態様を表わす図である。
【符号の説明】
１                  シールドトンネル
２                  枕木（鋼製枕木）
３                  枕木ローリング防止金具
４                  枕木固定用部材
４ａ                枕木固定用部材の上端部（固定部）
４ｂ                枕木固定用部材の下端部（結合部）
５                  ブラケット（第２の固定手段）
７                  セグメント締結用ボルト（締結部材）
９，１０            ボルト・ナット（第１の固定手段）
１１                長孔（第１の固定手段）
１２                切欠き
１４                しゃこ万力（第２の固定手段）
【図１】
2004257016.tif 000003
【図２】
2004257016.tif 000004
【図３】
2004257016.tif 000005